(57)【要約】【課題】遮断器を大型化することなく、電流を遮断できるようにする。【解決手段】第１の電源側端子４ａと第１の負荷側端子４ｂとの間に接続された第１の接点部３ａと、第２の電源側端子７ａと第２の負荷側端子７ｂとの間に接続された第２の接点部３ｂと、前記接点部３ａ、３ｂに発生したアークを消弧する消弧装置とを備えた回路遮断器において、前記第１の接点部３ａと並列にコイル５とコンデンサ６の直列回路を接続し、前記第２の接点部３ｂを補助接点とする。【選択図】図２
2012195186.tif 000002
【特許請求の範囲】
【請求項１】
第１の電源側端子と第１の負荷側端子との間に接続された第１の接点部と、第２の電源側端子と第２の負荷側端子との間に接続された第２の接点部と、前記接点部に発生したアークを消弧する消弧装置とを備えた回路遮断器において、
前記第１の接点部と並列にコイルとコンデンサの直列回路を接続し、前記第２の接点部を補助接点としたことを特徴とする回路遮断器。
【請求項２】
前記第２の接点部を第１の接点部よりも遅れて開極するように構成したことを特徴とする請求項１に記載の回路遮断器。
【請求項３】
第２の接点部のワイプ量を変化させて第２の接点部の開極を遅らせるようにしたことを特徴とする請求項２に記載の回路遮断器。
【請求項４】
第２の接点部を開閉駆動する開閉機構部にリンク機構を設けて第２の接点部の開極を遅らせるようにしたことを特徴とする請求項２に記載の回路遮断器。
【発明の詳細な説明】
【技術分野】
【０００１】
本発明は、コンデンサとコイルからなる転流装置を用いて、電流を遮断するようにした直流遮断器に関する。
【背景技術】
【０００２】
接点部に並列にコンデンサＣとインダクタンスＬからなる転流装置を接続した直流しゃ断装置が特許文献１に開示されている。
図４は、転流装置を用いた従来の遮断器の回路図である。
【０００３】
図において、直流電源Ｅに遮断器１１と補助接点１４を介して負荷１２が接続されている。遮断器１１は、接点部１３と、接点部１３に並列に接続されたコイル１５とコンデンサ１６からなる転流装置とを備えている。なお、１７は短絡電流などの過電流が流れた際の短絡状態を示している。
【０００４】
遮断器のオン状態では、接点部１３及び補助接点１４が閉極しており、電流は、直流電源Ｅから接点部１３および補助接点１４を介して負荷１２に到る。
このような遮断器において、短絡電流などの過電流が流れると、接点部１３が開成して、接点部１３間にアークが発生するとともに、コイル１５およびコンデンサ１６による閉ループの回路電流の共振が発生し、接点部１３に流れる電流に共振電流が重畳される。そして、接点部１３を流れる電流がゼロ点に到達し、アークが消弧される。その後、補助接点１４が開極し、直流電源Ｅから負荷１２が完全に切り離されて、電流が遮断される。
【先行技術文献】
【特許文献】
【０００５】
【特許文献１】特開昭５４−１３２７７６号公報
【発明の概要】
【発明が解決しようとする課題】
【０００６】
ところで、特許文献１に記載の遮断器は、接点部１３にコイル１５とコンデンサ１６からなる転流装置を並列に接続し、電流遮断時に転流装置の共振現象を利用して、電流ゼロ点を作り出し、電流を遮断するようにしたものである。
【０００７】
しかしながら、接点部で電流ゼロ点を迎えた後、コイル１５とコンデンサ１６側の回路には電源Ｅの電圧が印加されるため、コンデンサ１６は電源電圧と同レベルまで充電される。したがって、この部分を負荷回路から完全に切り離すには、回路に補助接点を設けるなどの対策が必要であり、遮断器が大型化してしまうという欠点があった。
【０００８】
そこで、本発明の課題は、遮断器を大型化することなく、電流を遮断できるようにした回路遮断器を提供することにある。
【課題を解決するための手段】
【０００９】
上記課題を達成するために、本発明によれば、第１の電源側端子と第１の負荷側端子との間に接続された第１の接点部と、第２の電源側端子と第２の負荷側端子との間に接続された第２の接点部と、前記接点部に発生したアークを消弧する消弧装置とを備えた回路遮断器において、前記第１の接点部と並列にコイルとコンデンサの直列回路を接続し、前記第２の接点部を補助接点としたことを特徴とする。
【００１０】
また、前記回路遮断器において、前記第２の接点部を第１の接点部よりも遅れて開極するように構成することが好ましい。例えば、第２の接点部のワイプ量を変化させて第２の接点部の開極を遅らせるようにする、あるいは第２の接点部を開閉駆動する開閉機構部にリンク機構を設けて第２の接点部の開極を遅らせるようにすることができる。
【発明の効果】
【００１１】
本発明によれば、第１の接点部と並列にコイルとコンデンサの直列回路を接続し、第２の接点部を補助接点としたので、遮断器を大型化することなく、電流遮断を行うことができる。
【図面の簡単な説明】
【００１２】
【図１】本発明の実施形態を示す回路遮断器の上面図
【図２】回路遮断器のオン状態を示す回路図
【図３】回路遮断器のオフ状態を示す回路図
【図４】従来例を示す遮断器の回路図
【発明を実施するための形態】
【００１３】
以下、本発明の実施の形態を図１〜図３に基づいて説明する。
図１は、本発明の実施形態を示す回路遮断器の上面図、図２は、回路遮断器のオン状態を示す回路図、図３は、回路遮断器のオフ状態を示す回路図である。
【００１４】
本発明は、電源側端子及び負荷側端子との間に接続された第１および第２の接点部を備えた２極以上で構成される回路遮断器において、第１の接点部と並列にコイルとコンデンサの直列回路を接続し、第２の接点部を補助接点として利用するようにしたものである。
図において、本実施形態の回路遮断器１は、２極型の回路遮断器であり、ケースとカバーからなる本体ケース２内に、第１の接点部３ａ及び第２の接点部３ｂと、図示しない開閉機構部、過電流検出装置、消弧装置が収納されている。なお、接点部３ａ、３ｂと過電流検出装置、消弧装置は、各相毎にそれぞれ本体ケース２内に収納されている。また、第１の接点部３ａと第２の接点部３ｂは、例えば可動接点と固定接点とから構成することができる。
【００１５】
開閉機構部は、接点部３ａ、３ｂを開閉駆動するものであり、過電流検出装置は過電流を検出するものであり、消弧装置は、接点部３ａ、３ｂに発生したアークを消弧するものである。また、４ａ、７ａは電源が接続される第１および第２の電源側端子、４ｂ、７ｂは負荷が接続される第１および第２の負荷側端子である。そして、第１の電源側端子４ａ、第１の接点部３ａ、第１の負荷側端子４ｂで一方の通電路を構成し、第２の電源側端子７ａ、第２の接点部３ｂ、第２の負荷側端子７ｂで他方の通電路を構成している。
【００１６】
また、８は、本体ケース２から操作部が突出する操作ハンドルであり、該操作ハンドル８をオン、オフ操作することにより、開閉機構部を介して接点部３ａ、３ｂを閉極、開極することができる。
【００１７】
ここで、本実施形態では、第１の通電路である第１の接点部３ａに並列にコイル５とコンデンサ６の直列回路からなる転流装置を接続している。また、他方の通電路である第２の接点部３ｂについては、第１の接点部３ａよりも遅れて開極するように構成する。例えば、可動接点及び固定接点からなる接点部３ｂのワイプ量を変化させることや、接点部３ｂを駆動する開閉機構部にリンク機構を追加することで、第２の接点部３ｂを第１の接点部３ａよりも遅れて開極させることができる。
【００１８】
なお、第１の接点部３ａと第２の接点部３ｂの開極のタイミング差は、コイル５及びコンデンサ６からなる転流装置により遮断が終了するまでの時間を確保する必要があるが、数ｍｓ〜数１０ｍｓ程度のオーダーとすることが好ましい。
【００１９】
このような構成において、回路遮断器を直流遮断器として使用する場合、図２に示すように、接点部３ａ、３ｂが閉極している状態では、電流は、第１の電源側端子４ａ、第１の接点部３ａ、第１の負荷側端子４ｂ、図示しない負荷を経由して、第２の負荷側端子７ｂ、第２の接点部３ｂ、第２の電源側端子７ａに流れている。
【００２０】
ここで、回路遮断器に過電流が流れると、図３に示すように、一方の通電路の第１の接点部３ａが開極し、接点部３ａ間にはアークが発生し、電流が流れ続ける。また、コイル５およびコンデンサ６による閉ループの回路電流の共振が発生し、接点部３ａに流れる電流に共振電流が重畳される。そして、接点部３ａを流れる電流がゼロ点に到達し、アーク電圧が上昇してアークが消弧される。その後、他方の通電路の第２の接点部３ｂが第１の接点部３ａの開極よりも遅れて開極し、電源側と負荷側の回路が完全に切り離されて、電流が遮断される。
【００２１】
このように本実施形態によれば、回路遮断器の一方の通電路である第１の接点部３ａと並列にコイル５とコンデンサ６の直列回路を接続し、他方の通電路である第２の接点部を補助接点として利用するようにしたので、遮断器が大型化することを防止できる。
【００２２】
なお、本実施形態では、２極型の回路遮断器について説明したが、２極以上、例えば３極形の回路遮断器に適用するようにしてもよい。
【符号の説明】
【００２３】
１    回路遮断器
３ａ  第１の接点部
３ｂ  第２の接点部
４ａ  電源側端子
４ｂ  負荷側端子
５    コイル
６    コンデンサ
７ａ  電源側端子
７ｂ  負荷側端子
【図１】
2012195186.tif 000003
【図２】
2012195186.tif 000004
【図３】
2012195186.tif 000005
【図４】
2012195186.tif 000006